(57)【要約】【課題】音声出力モードを変更するための専用のキーが存在しない各種操作部の操作に応じて音声出力モードを変更する。【解決手段】映像音声信号を受信する受信部と、映像音声信号に基づいて映像信号を生成して表示装置に出力すると共に映像音声信号に基づいて音声信号を生成して音声出力装置に出力する映像音声処理部と、指定されたチャンネルの映像音声信号を受信部に受信させて映像音声処理部に映像信号および音声信号を生成させると共に映像音声処理部を制御して映像音声信号に基づいて生成される音声信号の音声出力モードを変更させる制御部とを備え、制御部は、複数種類の音声出力モードのうちから任意の音声出力モードを選択可能な映像音声信号が受信されている状態において、そのチャンネルと同一チャンネルがチャンネル指定キーの操作によって指定されたときに（ステップ３１）音声出力モードを変更させる（ステップ３８）。【選択図】図２
2007116311.tif 000002
【特許請求の範囲】
【請求項１】
映像音声信号を受信する受信部と、前記映像音声信号に基づいて映像信号を生成して表示装置に出力すると共に当該映像音声信号に基づいて音声信号を生成して音声出力装置に出力する映像音声処理部と、指定されたチャンネルの前記映像音声信号を前記受信部に受信させて前記映像音声処理部に前記映像信号および前記音声信号を生成させると共に当該映像音声処理部を制御して前記映像音声信号に基づいて生成される前記音声信号の音声出力モードを変更させる制御部とを備え、
前記制御部は、複数種類の前記音声出力モードのうちから任意の当該音声出力モードを選択可能な前記映像音声信号が前記受信部によって受信されている状態において当該受信されているチャンネルと同一チャンネルがチャンネル指定キーの操作によって指定されたときに前記音声出力モードを変更させる受信装置。
【請求項２】
映像音声信号を受信する受信部と、前記映像音声信号に基づいて映像信号を生成して表示装置に出力すると共に当該映像音声信号に基づいて音声信号を生成して音声出力装置に出力する映像音声処理部と、指定されたチャンネルの前記映像音声信号を前記受信部に受信させて前記映像音声処理部に前記映像信号および前記音声信号を生成させると共に当該映像音声処理部を制御して前記映像音声信号に基づいて生成される前記音声信号の音声出力モードを変更させる制御部とを備え、
前記制御部は、複数種類の前記音声出力モードのうちから任意の当該音声出力モードを選択可能な前記映像音声信号が前記受信部によって受信されている状態においてチャンネルアップキーおよびチャンネルダウンキーのいずれかが操作されたときに前記音声出力モードを変更させる受信装置。
【請求項３】
前記制御部は、チャンネル切り換え条件を満たす状態において前記チャンネルアップキーおよび前記チャンネルダウンキーのいずれかが操作されたときに、当該いずれかのキーの操作に対応する他のチャンネルの前記映像音声信号を前記受信部に受信させる請求項２記載の受信装置。
【請求項４】
映像音声信号を受信する受信部と、前記映像音声信号に基づいて映像信号を生成して表示装置に出力すると共に当該映像音声信号に基づいて音声信号を生成して音声出力装置に出力する映像音声処理部と、指定されたチャンネルの前記映像音声信号を前記受信部に受信させて前記映像音声処理部に前記映像信号および前記音声信号を生成させると共に当該映像音声処理部を制御して前記映像音声信号に基づいて生成される前記音声信号の音声出力モードを変更させる制御部とを備え、
前記制御部は、複数種類の前記音声出力モードのうちから任意の当該音声出力モードを選択可能な前記映像音声信号が前記受信部によって受信されている状態においてチャンネル指定キー、チャンネルアップキーおよびチャンネルダウンキーのいずれかが操作された後に所定時間内にカーソルキーが操作されたときに前記音声出力モードを変更させる受信装置。
【請求項５】
前記制御部は、前記音声出力モードを変更させるときに、複数種類の前記音声出力モードについて予め規定された順序に従って変更させる請求項１から４のいずれかに記載の受信装置。
【請求項６】
前記予め規定された順序を設定可能に構成されている請求項５記載の受信装置。
【請求項７】
前記変更を許容する音声出力モードを設定可能に構成されている請求項１から６のいずれかに記載の受信装置。
【発明の詳細な説明】
【技術分野】
【０００１】
本発明は、選択された音声出力モードで音声信号を生成して音声出力装置に出力可能に構成された受信装置に関するものである。
【背景技術】
【０００２】
この種の受信装置として、音声多重放送の受信時にリモコン操作によって音声出力モードを変更可能に構成された放送受信装置が特開２００４−１５４８６号公報に開示されている。この放送受信装置では、例えばデジタル放送の受信中においてリモコン送信機のオーディオキーが操作されたときに、ＣＰＵがその時点における音声出力モード（一例として、「ＭＡＩＮ」の文字列）を表示画面に表示する。また、オーディオキーの操作から３秒以内に再びオーディオキーが操作されたときに、ＣＰＵは、音声出力モードを次のモードに変更し、主音声（ＭＡＩＮ）に代えて副音声（ＳＵＢ−１）を出力させると共に、変更後の音声出力モード（この例では、「ＳＵＢ−１」との文字列）を表示画面に表示する。さらに、２回目のオーディオキーの操作から３秒以内にエンターキーが操作されたときに、ＣＰＵは、エンターキーの操作時点における音声出力モードをそのチャンネルについての定常的な音声出力モードとしてメモりに記憶させる。これにより、例えば電源の再投入時にそのチャンネルを視聴するときには、オーディオキーを操作することなく直ちに副音声を出力させることが可能となる。
【特許文献１】特開２００４−１５４８６号公報（第３−６頁、図１−６）
【発明の開示】
【発明が解決しようとする課題】
【０００３】
ところが、従来の放送受信装置には、以下の問題点がある。すなわち、この放送受信装置では、リモコン送信機におけるオーディオキーの操作によって音声出力モードを変更する構成が採用されている。この場合、今日では、受信装置（テレビ等）に付属の専用リモコンのみならず、ＤＶＤレコーダ等の外部装置に付属のリモコンや、製造メーカが相違する各種のテレビを遠隔操作可能な汎用のリモコンを用いて受信装置を遠隔操作する使用形態が一般化している。しかしながら、外部装置に付属のリモコンや汎用のリモコンには、音声出力モードを変更するための専用キー（上記の例における「オーディオキー」）が配設されていないものが数多く存在する。したがって、オーディオキーの操作によって音声出力モードを変更する構成の従来の放送受信装置には、専用のキーが配設されていない各種リモコン（外部装置に付属のリモコンや汎用のリモコン）によって音声出力モードを変更することができないという問題点がある。
【０００４】
本発明は、かかる問題点に鑑みてなされたものであり、音声出力モードを変更するための専用のキーが存在しない各種操作部の操作に応じて音声出力モードを変更し得る受信装置を提供することを主目的とする。
【課題を解決するための手段】
【０００５】
上記目的を達成すべく、本発明に係る受信装置は、映像音声信号を受信する受信部と、前記映像音声信号に基づいて映像信号を生成して表示装置に出力すると共に当該映像音声信号に基づいて音声信号を生成して音声出力装置に出力する映像音声処理部と、指定されたチャンネルの前記映像音声信号を前記受信部に受信させて前記映像音声処理部に前記映像信号および前記音声信号を生成させると共に当該映像音声処理部を制御して前記映像音声信号に基づいて生成される前記音声信号の音声出力モードを変更させる制御部とを備え、複数種類の前記音声出力モードのうちから任意の当該音声出力モードを選択可能な前記映像音声信号が前記受信部によって受信されている状態において当該受信されているチャンネルと同一チャンネルがチャンネル指定キーの操作によって指定されたときに前記制御部が前記音声出力モードを変更させる。なお、本明細書における「音声」には、人の声のみならず、鳥の鳴き声、風の音および音楽等の各種の「音」が含まれる。
【０００６】
この受信装置によれば、複数種類の音声出力モードのうちから任意の音声出力モードを選択可能な映像音声信号が受信部によって受信されている状態において受信されているチャンネルと同一チャンネルがチャンネル指定キーの操作によって指定されたときに制御部が映像音声処理部を制御して音声出力モードを変更させることにより、外部装置に付属のリモコンや汎用のリモコン等の一般的なリモコンに配設されているチャンネル指定キーの操作によって所望の音声出力モードを変更することができる。したがって、音声出力モードを変更するための専用のキーが存在しない各種操作部の操作によって所望の種類の音声を出力させることができる。
【０００７】
また、本発明に係る受信装置は、映像音声信号を受信する受信部と、前記映像音声信号に基づいて映像信号を生成して表示装置に出力すると共に当該映像音声信号に基づいて音声信号を生成して音声出力装置に出力する映像音声処理部と、指定されたチャンネルの前記映像音声信号を前記受信部に受信させて前記映像音声処理部に前記映像信号および前記音声信号を生成させると共に当該映像音声処理部を制御して前記映像音声信号に基づいて生成される前記音声信号の音声出力モードを変更させる制御部とを備え、複数種類の前記音声出力モードのうちから任意の当該音声出力モードを選択可能な前記映像音声信号が前記受信部によって受信されている状態においてチャンネルアップキーおよびチャンネルダウンキーのいずれかが操作されたときに前記制御部が前記音声出力モードを変更させる。
【０００８】
この受信装置によれば、複数種類の音声出力モードのうちから任意の音声出力モードを選択可能な映像音声信号が受信部によって受信されている状態においてチャンネルアップキーおよびチャンネルダウンキーのいずれかが操作されたときに制御部が映像音声処理部を制御して音声出力モードを変更させることにより、外部装置に付属のリモコンや汎用のリモコン等の一般的なリモコンに配設されているチャンネルアップキーおよびチャンネルダウンキーの操作によって所望の音声出力モードに変更することができる。したがって、音声出力モードを変更するための専用のキーが存在しない各種操作部（例作によって所望の種類の音声を出力させることができる。
【０００９】
さらに、本発明に係る受信装置は、チャンネル切り換え条件を満たす状態において前記チャンネルアップキーおよび前記チャンネルダウンキーのいずれかが操作されたときに、前記制御部が当該いずれかのキーの操作に対応する他のチャンネルの前記映像音声信号を前記受信部に受信させる。
【００１０】
この受信装置によれば、チャンネル切り換え条件を満たす状態においてチャンネルアップキーおよびチャンネルダウンキーのいずれかが操作されたときに制御部が他のチャンネルの映像音声信号を受信部に受信させることにより、音声出力モードを変更するための専用のキーが存在しない各種操作部の操作によって所望の音声を出力させることができるだけでなく、チャンネルアップキーおよびチャンネルダウンキーに割り当てられた本来の機能によって所望のチャンネルに切り換え操作することができる。
【００１１】
また、本発明に係る受信装置は、映像音声信号を受信する受信部と、前記映像音声信号に基づいて映像信号を生成して表示装置に出力すると共に当該映像音声信号に基づいて音声信号を生成して音声出力装置に出力する映像音声処理部と、指定されたチャンネルの前記映像音声信号を前記受信部に受信させて前記映像音声処理部に前記映像信号および前記音声信号を生成させると共に当該映像音声処理部を制御して前記映像音声信号に基づいて生成される前記音声信号の音声出力モードを変更させる制御部とを備え、複数種類の前記音声出力モードのうちから任意の当該音声出力モードを選択可能な前記映像音声信号が前記受信部によって受信されている状態においてチャンネル指定キー、チャンネルアップキーおよびチャンネルダウンキーのいずれかが操作された後に所定時間内にカーソルキーが操作されたときに前記制御部が前記音声出力モードを変更させる。
【００１２】
この受信装置によれば、複数種類の音声出力モードのうちから任意の音声出力モードを選択可能な映像音声信号が受信部によって受信されている状態においてチャンネル指定キー、チャンネルアップキーおよびチャンネルダウンキーのいずれかが操作された後に所定時間内にカーソルキーが操作されたときに制御部が映像音声処理部を制御して音声出力モードを変更させることにより、外部装置に付属のリモコンや汎用のリモコン等の一般的なリモコンに配設されているチャンネルアップキー、チャンネルダウンキー、チャンネル指定キーおよびカーソルキーの操作によって音声出力モードに変更することができる。したがって、音声出力モードを変更するための専用のキーが存在しない各種操作部の操作によって所望の音声を出力させることができる。
【００１３】
さらに、本発明に係る受信装置は、前記音声出力モードを変更させるときに、前記制御部が複数種類の前記音声出力モードについて予め規定された順序に従って変更させる。
【００１４】
この受信装置によれば、音声出力モードを変更させるときに、制御部が複数種類の音声出力について予め規定された順序に従って変更させることにより、例えば、音声出力モードをランダムに変更させる構成とは異なり、チャンネル指定キーを何回操作すればどの種類の音声出力モードに切り替わるかを予め認識したうえで音声出力モードの切り換え操作を行うことができる。したがって、少ないキー操作によって所望の種類の音声出力モードに切り換えることができる。
【００１５】
また、本発明に係る受信装置は、前記予め規定された順序を設定可能に構成されている。
【００１６】
この受信装置によれば、音声出力モードを変更させる順序を設定可能に構成したことにより、視聴時に選択される頻度の高い音声出力モードを早い段階において選択可能に予め設定しておくことで、所望の種類の音声を数少ないキー操作で容易に出力させることができる。
【００１７】
さらに、本発明に係る受信装置は、上記の受信装置において、前記変更を許容する音声出力モードを設定可能に構成されている。
【００１８】
この受信装置によれば、変更を許容する音声出力モードを設定可能に構成したことにより、選択し得る音声出力モードが多数であったとしても所望の音声出力モードを数少ないキー操作で容易に指定することができる。
【発明を実施するための最良の形態】
【００１９】
以下、本発明に係る受信装置の最良の形態について、添付図面を参照して説明する。図１に示すプロジェクションテレビ（以下、「テレビ」ともいう）１は、本発明に係る受信装置と表示装置（リアプロジェクタ）とを一体的に構成した装置の一例であって、本体部２およびリモコン３を備えて構成されている。また、本体部２は、操作部１１、受光部１２、キー入力処理部１３、チューナ１４、選局処理部１５、映像音声処理部１６、音声処理部１７、音声出力モード記憶部１８、音声出力部１９、スピーカ２０、映像出力部２１、表示部２２および主制御部２３を備えて構成されている。このテレビ１は、後述するように、テレビ１に付属の専用のリモコン３のみならず、外部装置（ＤＶＤプレーヤ、ＤＶＤレコーダおよびビデオデッキ等）に付属のリモコン４や、製造メーカ等が相違する各種のテレビを遠隔操作可能な汎用のリモコン（図示せず）を用いた遠隔操作が可能に構成されている。この場合、リモコン４は、一例として、テレビ１を遠隔操作可能なキーとして、チャンネル指定キー（一例として、「０」〜「９」の１０個のキー：ダイレクトチャンネルキー）、チャンネルアップキー、チャンネルダウンキー、カーソルキー、エンターキー、キャンセルキーおよび電源キー等の各種キー（いずれも図示せず）が配設されて各キーに対応する操作信号Ｓ１（光信号）を出力可能に構成されている。
【００２０】
一方、操作部１１は、一例として、チャンネルアップキー、チャンネルダウンキー、ボリュームアップキーおよびボリュームダウンキー等の各種キー（いずれも図示せず）が配設されて各キーに対応する操作信号Ｓ２を出力可能に構成されている。受光部１２は、リモコン３，４等から出力された操作信号Ｓ１を受光して操作信号Ｓ２を生成し、生成した操作信号Ｓ２をキー入力処理部１３に出力する。キー入力処理部１３は、操作部１１および受光部１２から出力された操作信号Ｓ２に対応する制御信号Ｓ３（各キーの操作内容を特定可能な情報）を主制御部２３に出力する。チューナ１４は、本発明における受信部に相当し、指定されたチャンネルの放送信号Ｓ（本発明における映像音声信号の一例）を図外のアンテナで受信して映像音声信号Ｓａｖを生成し、生成した映像音声信号Ｓａｖを映像音声処理部１６に出力する。この場合、このチューナ１４は、一例として、ＢＳデジタル放送、１１０度ＣＳデジタル放送、地上デジタル放送および地上アナログ放送等の各種放送信号Ｓを受信可能に構成されている。選局処理部１５は、主制御部２３の制御に従い、リモコン３，４または操作部１１におけるチャンネルアップキーおよびチャンネルダウンキーや、リモコン３，４におけるチャンネル指定キーのキー操作によって指定されたチャンネルの放送信号Ｓをチューナ１４に受信させる（チャンネル切り換えを制御する）。
【００２１】
映像音声処理部１６は、映像音声信号Ｓａｖに含まれている音声信号Ｓａ１，Ｓａ２を抽出して（映像音声信号Ｓａｖに基づいて音声信号Ｓａ１，Ｓａ２を生成して）音声処理部１７に出力する。この場合、一例として、音声信号Ｓａ１は、音声多重放送における主音声についての音声信号で構成され、音声信号Ｓａ２は、音声多重放送における副音声についての音声信号で構成されている。また、映像音声処理部１６は、映像音声信号Ｓａｖに含まれている映像信号Ｓｖを抽出して（映像音声信号Ｓａｖに基づいて映像信号Ｓｖを生成して）映像出力部２１に出力する。この場合、映像信号Ｓｖは、本発明における映像信号に相当する。音声処理部１７は、主制御部２３の制御に従い、映像音声処理部１６から出力された音声信号Ｓａ１，Ｓａ２に基づいて音声信号Ｓａ１１〜Ｓａ１３のうちのいずれかを生成して音声出力部１９に出力する。この場合、このテレビ１では、上記の映像音声処理部１６と音声処理部１７とによって本発明における映像音声処理部が構成されている。
【００２２】
また、このテレビ１では、音声処理部１７から出力される音声信号Ｓａ１１〜Ｓａ１３が本発明における音声信号に相当する。この場合、上記の音声信号Ｓａ１１は、音声信号Ｓａ１に基づく主音声のみを出力可能な音声信号で構成され、音声信号Ｓａ１２は、音声信号Ｓａ２に基づく副音声のみを出力可能な音声信号で構成され、音声信号Ｓａ１３は、音声信号Ｓａ１に基づく主音声と音声信号Ｓａ２に基づく副音声とを同時に出力可能な音声信号で構成されている。また、以下の説明においては、音声信号Ｓａ１１に基づいて主音声のみを出力する音声出力モードをモード１とし、音声信号Ｓａ１２に基づいて副音声のみを出力する音声出力モードをモード２とし、音声信号Ｓａ１３に基づいて主音声および副音声の双方を出力する音声出力モードをモード３とする。音声出力モード記憶部１８は、チューナ１４によって受信可能な各チャンネル毎の音声出力モードについての情報（各チャンネル毎の音声出力モードを特定可能なフラグ）を記憶する。この場合、所定のチャンネルについて出力すべき音声の音声出力モードがモード１のときには、音声出力モード記憶部１８内のフラグが「１」となり、モード２のときには、フラグが「２」となり、モード３のときには、フラグが「３」となる。
【００２３】
音声出力部１９は、音声処理部１７から出力された音声信号Ｓａ１１〜Ｓａ１３に基づいて音声信号Ｓａを生成し、生成した音声信号Ｓａをスピーカ２０に出力する。スピーカ２０は、音声出力部１９から出力された音声信号Ｓａに基づく音声を出力する。なお、このテレビ１では、上記の音声出力部１９とスピーカ２０とによって本発明における音声出力装置が構成されている。映像出力部２１は、映像音声処理部１６から出力された映像信号Ｓｖに基づいて表示用の映像信号Ｓｖｏを生成し、生成した映像信号Ｓｖｏを表示部２２に出力する。表示部２２は、一例として、光学エンジンおよびスクリーンパネル等（図示せず）を備え、映像出力部２１から出力された映像信号Ｓｖｏに対応する映像を表示する。具体的には、この表示部２２は、出力された映像信号Ｓｖｏに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。なお、このテレビ１では、上記の映像出力部２１と表示部２２とによって本発明における表示装置が構成されている。
【００２４】
主制御部２３は、本発明における制御部に相当し、テレビ１の各部を総括的に制御する。また、主制御部２３は、後述するように、図２に示す変更処理３０を実行して音声出力モードを変更する。なお、このテレビ１では、上記の音声出力部１９、スピーカ２０、映像出力部２１および表示部２２を除く各構成要素によって本発明に係る受信装置が構成されている。
【００２５】
次に、テレビ１の全体的な動作について、図面を参照して説明する。このテレビ１では、例えばリモコン４の電源キーを操作したときに、リモコン４から出力された操作信号Ｓ１を受光した受光部１２によって操作信号Ｓ１に対応する操作信号Ｓ２がキー入力処理部１３に出力される。これに応じて、キー入力処理部１３がその操作信号Ｓ２に対応する制御信号Ｓ３を主制御部２３に出力する。この際に、主制御部２３は、選局処理部１５を制御して電源遮断時に選局されていたチャンネルの放送信号Ｓをチューナ１４に受信させる。これに応じて、チューナ１４から出力された映像音声信号Ｓａｖに基づき、映像音声処理部１６が音声信号Ｓａ１，Ｓａ２を生成して音声処理部１７に出力すると共に、映像信号Ｓｖを生成して映像出力部２１に出力する。
【００２６】
この際に、主制御部２３は、音声処理部１７を制御して、音声出力部１９に出力すべき音声信号を音声信号Ｓａ１，Ｓａ２のいずれに基づいて生成すべきか（いずれの音声出力モードで音声を出力させるべきか）を音声出力モード記憶部１８に記憶されている音声出力モードについての情報（フラグ）に基づいて判別させる。具体的には、例えば、チューナ１４によって放送信号Ｓが受信されているチャンネルについてのフラグが「１」のときには、音声処理部１７は、主制御部２３の制御に従い、音声信号Ｓａ１に基づいて音声信号Ｓａ１１を生成して音声出力部１９に出力する。これにより、音声出力部１９によって音声信号Ｓａ１１に基づく音声信号Ｓａが生成され、スピーカ２０から音声信号Ｓａに基づく音声（音声信号Ｓａ１に対応する主音声）が出力される。また、映像出力部２１は、映像音声処理部１６から出力された映像信号Ｓｖに基づいて映像信号Ｓｖｏを生成して表示部２２に出力する。これにより、映像信号Ｓｖｏに対応する映像が表示部２２のスクリーンパネルに表示される。
【００２７】
一方、主制御部２３は、キー入力処理部１３から電源投入を指示する制御信号Ｓ３が出力された際に、図示しない電源部を制御してテレビ１の各部に電源を供給させると共に、その後にキー入力処理部１３から出力される制御信号Ｓ３を監視する。また、キー入力処理部１３から出力された制御信号Ｓ３に基づき、チャンネル指定キーが操作されたと判別したときには、主制御部２３は、図２に示す変更処理３０を開始する。この変更処理３０では、主制御部２３は、まず、チャンネル指定キーの操作によって指定されたチャンネルが、チューナ１４によって受信されているチャンネル（視聴中のチャンネル）と同一チャンネルであるか否かを判別する（ステップ３１）。
【００２８】
この際に、相違するチャンネルが指定されたと判別したときには、主制御部２３は、選局処理部１５を制御して、指定されたチャンネルの放送信号Ｓをチューナ１４に受信させる（チャンネルの切り換え：ステップ３２）。また、主制御部２３は、音声処理部１７を制御して切り換え後のチャンネルについての音声出力モード記憶部１８内のフラグを「１」に書き換えさせることでフラグをリセットすると共に（ステップ３３）、チューナ１４によって受信されている放送信号Ｓが音声多重放送であるか否かを判別する（ステップ３４）。この際に、音声多重放送ではないときには、主制御部２３は、この変更処理３０を終了する。また、音声多重放送であるときには、音声処理部１７を制御して音声出力モード記憶部１８に記憶されている音声出力モードについての情報（フラグ）に対応する音声信号（この例では、モード１に対応する音声信号Ｓａ１１）を生成させて（音声出力モードの変更：ステップ３５）この変更処理３０を終了する。
【００２９】
一方、主制御部２３は、指定されたチャンネルが、チューナ１４によって受信されているチャンネル（視聴中のチャンネル）と同一チャンネルであると判別したときに（ステップ３１）、そのチャンネルの放送信号Ｓが音声多重放送であるか否かを判別する（ステップ３６）。この際に、主制御部２３は、音声多重放送ではないと判別したときには、この変更処理３０を終了し、音声多重放送であると判別したときには、音声処理部１７を制御して音声出力モード記憶部１８内のフラグをカウントアップさせる（フラグの変更：ステップ３７）。この場合、主制御部２３は、カウントアップ後のフラグが「４」のときには、そのフラグを「４」から「１」に変更させる。具体的には、音声多重放送であると判別した際にチューナ１４によって映像音声信号Ｓａｖが受信されているチャンネルについてのフラグが「１」のときには、主制御部２３の制御に従い、音声処理部１７が音声出力モード記憶部１８内のフラグを「２」に書き換えると共に、カウントアップ後のフラグが「４」ではないと判別して次の処理に進む。次いで、主制御部２３は、音声処理部１７を制御して音声出力モード記憶部１８に記憶されているフラグ（この例では、フラグ＝「２」）に対応する音声信号（モード２に対応する音声信号Ｓａ１２）を生成させて（音声出力モードの変更：ステップ３８）、この変更処理３０を終了する。これにより、音声処理部１７によって生成された音声信号Ｓａ１２が音声出力部１９に出力され、スピーカ２０から副音声が出力される。
【００３０】
また、主制御部２３は、チューナ１４によって受信されているチャンネルと同一チャンネルを指定するチャンネル指定キーが再び操作されたと判別したときに（ステップ３１）、そのチャンネルの放送信号Ｓが音声多重放送であると判別し（ステップ３６）、音声処理部１７を制御して音声出力モード記憶部１８内のフラグをカウントアップさせる（ステップ３７）。この際に、音声処理部１７は、主制御部２３の制御に従い、音声出力モード記憶部１８内のフラグを「３」に書き換える。次いで、主制御部２３は、音声処理部１７を制御して音声出力モード記憶部１８に記憶されているフラグ（この例では、フラグ＝「３」）に対応する音声信号（モード３に対応する音声信号Ｓａ１３）を生成させて（ステップ３８）、この変更処理３０を終了する。これにより、音声処理部１７によって生成された音声信号Ｓａ１３が音声出力部１９に出力され、スピーカ２０から主音声と副音声とが出力される。
【００３１】
この後、同一のチャンネル指定キーが再び操作された際に、主制御部２３は、音声処理部１７を制御して、音声出力モード記憶部１８内のフラグを「３」から「４」にカウントアップさせた後に、カウントアップ後のフラグが「４」であると判別してフラグを「４」から「１」に変更させる（ステップ３７）。次いで、主制御部２３は、音声処理部１７を制御して音声出力モードを「モード３」から「モード１」に変更させる。また、主制御部２３は、その後に同一のチャンネル指定キーが操作される都度、テレビ１の音声出力モードをモード２およびモード３の順で順次切り替えた後に再び「モード１」に切り換える。このように、このテレビ１では、同一のチャンネル指定キーが操作される都度、主制御部２３によって音声出力モードが「モード１」〜「モード３」の順で循環的に切り換えられる。なお、リモコン４のチャンネル指定キーが操作された際の例を挙げて説明したが、このテレビ１では、リモコン３のチャンネル指定キーや、リモコン３，４以外の各種リモコンのチャンネル指定キー、或いは、操作部１１のキーが操作された際にも、上記の例と同様にして音声出力モードが変更される。
【００３２】
このように、このテレビ１によれば、複数種類の音声出力モードのうちから任意の音声出力モードを選択可能な放送信号Ｓがチューナ１４によって受信されている状態において受信されているチャンネルと同一チャンネルがチャンネル指定キーの操作によって指定されたときに主制御部２３が映像音声処理部（映像音声処理部１６および音声処理部１７）を制御して音声出力モードを変更させることにより、外部装置に付属のリモコンや汎用のリモコン等の一般的なリモコンに配設されているチャンネル指定キーの操作によって所望の音声出力モードを変更することができる。したがって、音声出力モードを変更するための専用のキーが存在しない各種操作部（例えば、外部装置に付属のリモコン４）の操作によって所望の種類の音声を出力させることができる。
【００３３】
また、このテレビ１によれば、音声出力モードを変更させるときに、主制御部２３が複数種類の音声出力モードのうちから予め規定された順序に従って所定の音声出力モードに変更させることにより、例えば、音声出力モードをランダムに変更させる構成とは異なり、チャンネル指定キーを何回操作すればどの種類の音声出力モードに切り替わるかを予め認識したうえで音声出力モードの切り換え操作を行うことができる。したがって、少ないキー操作によって所望の種類の音声出力モードに切り換えることができる。
【００３４】
なお、本発明は、上記の構成に限定されない。例えば、チャンネル指定キーの操作によって音声出力モードを変更する構成について説明したが、チャンネルアップキーおよびチャンネルダウンキーのいずれかの操作によって音声出力モードを変更する構成を採用することもできる。このように構成したテレビ１では、主制御部２３が、キー入力処理部１３からチャンネルアップキーの操作に対応する制御信号Ｓ３が出力された際に図３に示す変更処理４０Ａを実行し、キー入力処理部１３からチャンネルダウンキーの操作に対応する制御信号Ｓ３が出力された際に図４に示す変更処理４０Ｂを実行する。
【００３５】
この際に、例えばリモコン４のチャンネルアップキーが操作されて対応する制御信号Ｓ３が出力されたときには、主制御部２３は、変更処理４０Ａを開始してチューナ１４によって受信されているチャンネル（視聴中のチャンネル）の放送信号Ｓが音声多重放送であるか否かを判別する（ステップ４１）。この場合、音声多重放送ではないとき（本発明における「チャンネル切り換え条件」が満たされた状態の一例）には、主制御部２３は、選局処理部１５を制御してチューナ１４に放送信号Ｓを受信させるチャンネルを昇順で切り換えさせて（ステップ４２）、音声処理部１７を制御して音声出力モード記憶部１８内のフラグを「１」に書き換えさせることでフラグをリセットする（ステップ４３）。次いで、主制御部２３は、チャンネル切り換え後にチューナ１４によって受信されている放送信号Ｓが音声多重放送であるか否かを判別し（ステップ４４）、音声多重放送ではないときには、この変更処理４０Ａを終了する。また、音声多重放送であるとき判別したときには、主制御部２３は、音声処理部１７を制御して音声出力モード記憶部１８に記憶されている音声出力モードについての情報（フラグ）に対応する音声信号（一例として、モード１に対応する音声信号Ｓａ１１）を生成させて（音声出力モードの変更：ステップ４５）、この変更処理４０Ａを終了する。
【００３６】
一方、主制御部２３は、チャンネルアップキーの操作時点においてチューナ１４によって受信されているチャンネル（視聴中のチャンネル）の放送信号Ｓが音声多重放送であると判別したときに（ステップ４１）、音声処理部１７を制御して音声出力モード記憶部１８内のフラグをカウントアップさせる（フラグの変更：ステップ４６）。この場合、主制御部２３は、カウントアップ後のフラグが「４」のときには、そのフラグを「４」から「１」に変更させる。具体的には、チューナ１４によって映像音声信号Ｓａｖが受信されているチャンネルについてのフラグが「１」のときには、音声処理部１７は、主制御部２３の制御に従い、音声出力モード記憶部１８内のフラグを「２」に書き換えると共に、カウントアップ後のフラグが「４」ではないと判別して次の処理に進む。次いで、主制御部２３は、音声出力モード記憶部１８内のフラグが「１」であるか否かを判別し（ステップ４７）、フラグが「１」ではないと判別したときには、音声処理部１７を制御して音声出力モード記憶部１８に記憶されているフラグ（この例では、フラグ＝「２」）に対応する音声信号（モード２に対応する音声信号Ｓａ１２）を生成させて（音声出力モードの変更：ステップ４８）、この変更処理４０Ａを終了する。これにより、音声処理部１７によって生成された音声信号Ｓａ１２が音声出力部１９に出力され、スピーカ２０から副音声が出力される。
【００３７】
また、チャンネルアップキーが再び操作されたときには、主制御部２３は、視聴中のチャンネルの放送信号Ｓが音声多重放送であると判別し（ステップ４１）、音声処理部１７を制御して音声出力モード記憶部１８内のフラグをカウントアップさせる（ステップ４６）。この際には、そのチャンネルについてのフラグが「３」に書き換えられる。次いで、主制御部２３は、音声出力モード記憶部１８内のフラグが「１」ではないと判別し（ステップ４７）、音声処理部１７を制御して音声出力モード記憶部１８に記憶されているフラグ（この例では、フラグ＝「３」）に対応する音声信号（モード３に対応する音声信号Ｓａ１３）を生成させる（音声出力モードの変更：ステップ４８）。これにより、音声処理部１７によって生成された音声信号Ｓａ１３が音声出力部１９に出力され、スピーカ２０から主音声と副音声とが出力される。
【００３８】
さらに、チャンネルアップキーが再び操作されたときには、主制御部２３は、視聴中のチャンネルの放送信号Ｓが音声多重放送であると判別し（ステップ４１）、音声処理部１７を制御して音声出力モード記憶部１８内のフラグをカウントアップさせる（ステップ４６）。この際には、そのチャンネルについてのフラグが「３」から「４」にカウントアップされた後に「１」に書き換えられる。次いで、主制御部２３は、音声出力モード記憶部１８内のフラグが「１」であると判別し（本発明における「チャンネル切り換え条件」が満たされた状態の他の一例：ステップ４７）、選局処理部１５を制御してチューナ１４に放送信号Ｓを受信させるチャンネルを昇順で切り換えさせる（ステップ４２）。このように、音声多重放送のテレビ番組をモード１で視聴中にチャンネルアップキーを操作することで、モード２，３に順次切り替えた後に、チャンネルアップキーをさらに操作することで、次のチャンネルに切り換えることができる。
【００３９】
一方、チャンネルダウンキーを操作したときには、主制御部２３は、図４に示す変更処理４０Ｂを開始する。なお、この変更処理４０Ｂでは、上記の変更処理４０Ａとは異なり、ステップ４６において音声出力モード記憶部１８内のフラグがカウントダウンされると共に、ステップ４２においてチューナ１４に放送信号Ｓを受信させるチャンネルが降順で切り換えられる。この場合、主制御部２３は、ステップ４６において、カウントダウン後のフラグが「０」のときには、そのフラグを「０」から「３」に変更させる。なお、この変更処理４０Ｂにおけるその他の各ステップについては、変更処理４０Ａの対応する処理と同様の処理が実行されるため、これらのステップについては、同一の符号を付して重複する説明を省略する。
【００４０】
このように、複数種類の音声出力モードのうちから任意の音声出力モードを選択可能な放送信号Ｓがチューナ１４によって受信されている状態においてチャンネルアップキーおよびチャンネルダウンキーのいずれかが操作されたときに主制御部２３が映像音声処理部（映像音声処理部１６および音声処理部１７）を制御して音声出力モードを変更させることにより、外部装置に付属のリモコンや汎用のリモコン等の一般的なリモコンに配設されているチャンネルアップキーおよびチャンネルダウンキーの操作によって所望の音声出力モードに変更することができる。したがって、音声出力モードを変更するための専用のキーが存在しない各種操作部（例えば、外部装置に付属のリモコン４）の操作によって所望の種類の音声を出力させることができる。
【００４１】
また、本発明におけるチャンネル切り換え条件を満たす状態においてチャンネルアップキーおよびチャンネルダウンキーのいずれかが操作されたときに主制御部２３が他のチャンネルの放送信号Ｓをチューナ１４に受信させることにより、音声出力モードを変更するための専用のキーが存在しない各種操作部の操作によって所望の音声を出力させることができるだけでなく、チャンネルアップキーおよびチャンネルダウンキーに割り当てられた本来の機能によって所望のチャンネルに切り換え操作することができる。
【００４２】
また、チャンネルアップキー、チャンネルダウンキーおよびチャンネル指定キーのいずれかの操作とカーソルキーの操作とで音声出力モードを変更する構成を採用することもできる。具体的には、このように構成したテレビ１では、キー入力処理部１３から電源投入用の制御信号Ｓ３が出力された際に、主制御部２３が、図５に示す変更処理５０を開始する。この変更処理５０では、主制御部２３は、キー入力処理部１３から制御信号Ｓ３が出力される都度、その制御信号Ｓ３がチャンネル指定キー、チャンネルアップキーおよびチャンネルダウンキーのいずれかの操作に対応する制御信号Ｓ３であるか否か（上記各キーが操作されたか否か）を判別する（ステップ５１）。この際に、例えばチャンネル指定キーが操作されたと判別したときには、主制御部２３は、チャンネル指定キーの操作時点から所定時間（一例として、２秒）が経過したか否かを判別する（ステップ５２）。この際に、所定時間が経過したときには、主制御部２３は、カーソルキーの操作後に所定時間が経過したか否かを判別し（ステップ５３）、カーソルキーの操作がなかったと判別して選局処理部１５を制御して制御信号Ｓ３に対応するチャンネルの放送信号Ｓをチューナ１４に受信させる（チャンネルの切り換え：ステップ５４）。
【００４３】
一方、チャンネル指定キーが操作された後に、上記の所定時間内にカーソルキーが操作されたときには（ステップ５５）、主制御部２３は、チューナ１４によって受信されているチャンネル（視聴中のチャンネル）の放送信号Ｓが音声多重放送であるか否かを判別する（ステップ５６）。この際に、音声多重放送ではないときには、主制御部２３は、選局処理部１５を制御してチャンネルを切り換えさせる（ステップ５４）。また、音声多重放送であると判別したときには、主制御部２３は、音声処理部１７を制御して音声出力モード記憶部１８内のフラグをカウントアップさせる（ステップ５７）。この場合、主制御部２３は、カウントアップ後のフラグが「４」のときには、そのフラグを「４」から「１」に変更させる。次いで、主制御部２３は、音声処理部１７を制御して音声出力モード記憶部１８に記憶されているフラグ（一例として、フラグ＝「２」）に対応する音声信号（モード２に対応する音声信号Ｓａ１２）を生成させる（音声出力モードの変更：ステップ５８）。これにより、音声処理部１７によって生成された音声信号Ｓａ１２が音声出力部１９に出力され、スピーカ２０から副音声が出力される。この後、カーソルキーが再び操作されることなく所定時間が経過したときには（ステップ５２）、主制御部２３は、カーソルキーの操作後に所定時間が経過したと判別し（ステップ５３）、チャンネル指定キー、チャンネルアップキーおよびチャンネルダウンキーの操作に対応する制御信号Ｓ３が出力されたか否かを監視する（ステップ５１）。
【００４４】
このように、複数種類の音声出力モードのうちから任意の音声出力モードを選択可能な放送信号Ｓがチューナ１４によって受信されている状態においてチャンネル指定キー、チャンネルアップキーおよびチャンネルダウンキーのいずれかが操作された後に所定時間内にカーソルキーが操作されたときに主制御部２３が映像音声処理部（映像音声処理部１６および音声処理部１７）を制御して音声出力モードを変更させることにより、外部装置に付属のリモコンや汎用のリモコン等の一般的なリモコンに配設されているチャンネルアップキー、チャンネルダウンキー、チャンネル指定キーおよびカーソルキーの操作によって音声出力モードに変更することができる。したがって、音声出力モードを変更するための専用のキーが存在しない各種操作部（例えば、外部装置に付属のリモコン４）の操作によって所望の音声を出力させることができる。
【００４５】
また、主音声の出力（モード１）、副音声の出力（モード２）、主音声および副音声の出力（モード３）の３つの音声出力モードのうちのいずれかのモードで音声を出力する例について説明したが、音声出力モードの種類は３種類に限定されない。この場合、日本語音声、英語音声、フランス語音声、スペイン語音声および中国語音声や、ステレオおよびモノラルのように１つの映像音声信号Ｓａｖに基づいて出力可能な音声の種類数（本発明における音声出力モードの種類数）が多数のときには、主制御部２３によって切り換えられる音声出力モードの順序を設定可能に構成するのが好ましい。具体的には、多数の各国語の音声出力モードのうちから、例えば、日本語の音声出力モード、英語の音声出力モードおよびフランス語の音声出力モードの順で出力モードが切り換えられるように設定する。このように、音声出力モードを変更させる順序を設定可能に構成したことにより、視聴時に選択される頻度の高い音声出力モードを早い段階において選択可能に予め設定しておくことで、所望の種類の音声を数少ないキー操作で容易に出力させることができる。
【００４６】
また、１つの映像音声信号Ｓａｖに基づいて出力可能な音声の種類（本発明における音声出力モード）が多数のときには、上記の変更処理３０，４０Ａ，４０Ｂ，５０による変更が許容される音声出力モードを予め設定可能に構成するのが好ましい。具体的には、多数の各国語の音声出力モードのうちから、例えば、日本語の音声出力モードと英語の音声出力モードとの２つのみを指定可能に設定する。このように、変更を許容する音声出力モードを設定可能に構成したことにより、選択し得る音声出力モードが多数であったとしても所望の音声出力モードを数少ないキー操作で容易に指定することができる。
【００４７】
また、本発明に係る受信装置をテレビ１に搭載した例について説明したが、表示部を備えていない受信装置単体や、録画装置等に搭載された受信装置に本発明を適用することができる。さらに、リアプロジェクション型のテレビについて上記したが、液晶表示器、プラズマ表示器、有機ＥＬ表示器およびＣＲＴ等の各種表示器を備えたテレビに本発明を適用することもできる。加えて、本発明に係る受信装置によって受信される映像音声信号は、上記の例のような放送信号Ｓに限定されず、ネットワークを介して受信した映像音声信号や、受信装置に接続された外部装置から出力された映像音声信号等の各種映像音声信号がこれに含まれる。
【図面の簡単な説明】
【００４８】
【図１】プロジェクションテレビ１の構成を示す構成図である。
【図２】変更処理３０のフローチャートである。
【図３】変更処理４０Ａのフローチャートである。
【図４】変更処理４０Ｂのフローチャートである。
【図５】変更処理５０のフローチャートである。
【符号の説明】
【００４９】
１  プロジェクションテレビ、３，４  リモコン、１１  操作部、１２  受光部、１３  キー入力処理部、１４  チューナ、１５  選局処理部、１６  映像音声処理部、１７  音声処理部、１８  音声出力モード記憶部、１９  音声出力部、２０  スピーカ、２１  映像出力部、２２  表示部、２３  主制御部、３０，４０Ａ，４０Ｂ，５０  変更処理、Ｓ  放送信号、Ｓａｖ  映像音声信号、Ｓａ１，Ｓａ２，Ｓａ１１〜Ｓａ１３  音声信号、Ｓｖ、Ｓｖｏ  映像信号、Ｓ１，Ｓ２  操作信号、Ｓ３  制御信号、Ｓａ  音声信号、Ｓｖ  映像信号
【図１】
2007116311.tif 000003
【図２】
2007116311.tif 000004
【図３】
2007116311.tif 000005
【図４】
2007116311.tif 000006
【図５】
2007116311.tif 000007